(57)【要約】  この発明は移動通信端末機に関し、文字チャット機能を支援するためにショートメッセージサービスを使い、文字チャットサービス方法にも関係する。そのため、本発明は移動通信端末機にプログラムメモリ、データ格納部、キー入力部、表示部、マイクロプロセッサを装備している。上記のプログラムメモリは、文字チャットプログラムを文字チャットサービスのために用意し、プログラムは文字チャットサービスの中で使われる付加的機能を働かせる。データ格納部は、文字チャットサービスの間に送受信する文字チャットメッセージを格納する。キー入力部は、キーボタンを備え、文字チャットメッセージを生成する。表示部は、チャットウィンドに現れて送受信される文字チャットメッセージを表示する。マイクロプロセッサは文字チャットプログラムを働かせ、チャットウィンドウに接触してチャットする移動通信端末機と交信する文字チャットメッセージを表示するために制御機能を働かせる。ここで、文字チャットメッセージはショートメッセージサービスを使って送受信される。この発明によると、ショートメッセージサービスを使う文字チャットサービスは、移動通信端末機のユーザインターフェースのみを変化させて実現できるので、使用者はスクリーンウィンドウを通じて送受信される短文メッセージをチェックでき、データ料金より高価とは言えないショートメッセージサービスを使ってコスト低減を提供できる。【選択図】なし
2009526430.tif 000002
【特許請求の範囲】
【請求項１】
ショートメッセージサービスを利用したチャット機能を提供する文字チャットサービスを支援する移動通信端末機において、
前記文字チャットサービスのための文字チャットプログラム及び前記文字チャットサービス内で実行される付加機能を行うためのプログラムが格納されるプログラムメモリと、
前記文字チャットサービスで送受信された前記文字チャットメッセージを格納するデータ格納部と、
前記文字チャットメッセージの作成のためのキーボタンを含むキー入力部と、
前記送受信された文字チャットメッセージを１つのチャットウィンドウを通じて表示させる表示部と、
チャット相手の移動通信端末機と送受信される文字チャットメッセージを前記チャットウィンドウに表示し、前記文字チャットサービスを通じて送受信された文字チャットメッセージの格納のための文字チャットメッセージデータを生成して前記データ格納部に格納し、前記格納された文字チャットメッセージデータを前記データ格納部から呼び出す制御機能を実行するマイクロプロセッサとを含む移動通信端末機。
【請求項２】
前記マイクロプロセッサは、
前記ショートメッセージサービスを通じて前記チャット相手の移動通信端末機から文字チャットメッセージを受信すると、前記プログラムメモリから前記文字チャットプログラムを呼び出して実行させ、
前記キー入力部を通じて移動通信端末機の使用者の文字チャットプログラムの実行要求が入力されると、前記プログラムメモリから前記文字チャットプログラムを呼び出して実行する請求項１に記載の移動通信端末機。
【請求項３】
前記マイクロプロセッサは、
前記文字チャットサービス内で実行される付加機能を行う付加機能実行モジュールと、
前記文字チャットサービスで送受信された前記文字チャットメッセージを格納するための文字チャットメッセージデータを生成して前記データ格納部に格納し、前記データ格納部から格納された前記文字チャットメッセージデータを呼び出すチャット内容格納モジュールと、
前記文字チャットサービスのためのチャットウィンドウを設定するチャットウィンドウ設定モジュールとを含む請求項１に記載の移動通信端末機。
【請求項４】
前記付加機能実行モジュールは、
前記文字チャットサービスを用いる際にチャット相手選択、チャット相手の追加及び削除、使用者名変更のうちの少なくとも１つを行う請求項３に記載の移動通信端末機。
【請求項５】
前記チャット内容格納モジュールは、
前記文字チャットサービスで送信された前記文字チャットメッセージと受信された文字チャットメッセージとをログ方式のテキストに統合して前記文字チャットメッセージデータを生成する請求項３に記載の移動通信端末機。
【請求項６】
前記文字チャットメッセージデータは、
前記送受信された文字チャットメッセージの内容を含み、チャット開始日付、チャット相手情報及びチャット終了日付の少なくとも１つの情報を追加的に格納する請求項５に記載の移動通信端末機。
【請求項７】
前記チャットウィンドウ設定モジュールは、
チャットの題目表示領域、チャットメッセージ表示領域、チャットメッセージ入力領域、メニュー領域及びスクロール領域を含む前記チャットウィンドウの初期画面を設定する初期画面設定モジュールと、
前記文字チャットメッセージサービスを利用する使用者を表示する使用者表示画面設定モジュールと、  前記送受信された文字チャットメッセージの内容を表示するメッセージ表示モジュールとのうちの少なくとも１つを含む請求項３に記載の移動通信端末機。
【請求項８】
前記メニュー領域は、
前記文字チャットサービス内で実行される付加機能を選択するためのメニューボタンと、
前記入力された文字チャットメッセージを送信するための送信ボタンと、
前記文字チャットメッセージ作成のための文字入力形態を選択するための文字ボタンとを含む請求項７に記載の移動通信端末機。
【請求項９】
前記使用者表示画面設定モジュール及び前記メッセージ表示モジュールは、前記使用者の区別のためにそれぞれの使用者を相異なる色を利用して表示する請求項７に記載の移動通信端末機。
【請求項１０】
前記マイクロプロセッサは、
前記文字チャットサービス途中に受信される短文メッセージ、マルチメディアメッセージ及び音声電話着信信号のうちの少なくとも１つを処理する割り込み処理モジュールを追加的に含む請求項３に記載の移動通信端末機。
【請求項１１】
前記移動通信端末機は、
前記文字チャットメッセージの受信を知らせる音響信号出力機能、音声電話時に相手の音声出力及び使用者の音声入力機能を行う音声入出力部と、
前記移動通信端末機の加入者情報を格納する加入者情報格納部と、
前記文字チャットメッセージを移動通信網を介して送受信するためのＲＦ信号に変調するＲＦ信号処理部と、
前記ＲＦ信号を前記移動通信網を介して送受信するアンテナとのうちの少なくとも１つを追加的に含む請求項１に記載の移動通信端末機。
【請求項１２】
ショートメッセージサービスを利用したチャット機能を提供する移動通信端末機からの文字チャットメッセージ送信を通じて文字チャットサービスを提供する方法において、
（ａ）前記文字チャットサービスのための文字チャットモードに設定してチャットウィンドウを表示する段階と、
（ｂ）前記文字チャットサービスを利用するチャット相手を選択し、前記チャット相手に送信する文字チャットメッセージを作成する段階と、
（ｃ）ショートメッセージサービスを利用して前記文字チャットメッセージを送信する段階と、
（ｄ）前記送信文字チャットメッセージに対して受信文字チャットメッセージが受信されるかどうかを判定し、前記受信文字チャットメッセージが受信されると前記チャットウィンドウに表示する段階と、
（ｅ）使用者からの文字チャットサービスを終了させる終了信号入力の有無を判定し、前記終了信号が入力されると前記文字チャットサービスを介して送受信された前記文字チャットメッセージを格納して前記文字チャットサービスを終了し、前記終了信号が入力されないと前記受信文字チャットメッセージに対する応答メッセージを作成して前記段階（ｃ）以後の過程を繰り返す段階とを含む文字チャットサービス提供方法。
【請求項１３】
前記段階（ｅ）は、
前記送信文字チャットメッセージと前記受信メッセージとをログ方式のテキストに統合して格納する請求項１２に記載の文字チャットサービス提供方法。
【請求項１４】
前記段階（ｅ）の後に、
（ｆ）所定の時間内に前記受信文字チャットメッセージが受信されるかどうかを判定して、前記受信文字チャットメッセージが受信されると前記移動通信端末機を前記文字チャットモードに設定し、前記所定の時間内に前記格納された文字チャットメッセージを表示する段階をさらに含む請求項１２に記載の文字チャットサービス提供方法。
【請求項１５】
前記段階（ａ）は、
前記移動通信端末機に搭載された複数の付加機能の中で文字チャットメニューを選択すると、前記移動通信端末機は前記文字チャットモードに設定される請求項１２に記載の文字チャットサービス提供方法。
【請求項１６】
前記段階（ｂ）は、
前記文字チャットメッセージを送信する相手を選択する段階をさらに含む請求項１２に記載の文字チャットサービス提供方法。
【請求項１７】
前記相手の選択は電話帳検索、最近の通話記録検索、前記相手の電話番号の直接入力のうちの１つによって実行される請求項１６に記載の文字チャットサービス提供方法。
【請求項１８】
前記段階（ｂ）は、
前記送信文字チャットメッセージを２つ以上の相手に同時に送信する請求項１２に記載の文字チャットサービス提供方法。
【請求項１９】
ショートメッセージサービスを利用したチャット機能を提供する移動通信端末機からの文字チャットメッセージ受信を通じて文字チャットサービスを提供する方法において、
（ａ）移動通信網を介して前記文字チャットサービスのための受信文字チャットメッセージを受信する段階と、
（ｂ）前記移動通信端末機を前記文字チャットサービスのための文字チャットモードに設定してチャットウィンドウを表示する段階と、
（ｃ）前記チャットウィンドウに受信文字チャットメッセージを表示する段階と、
（ｄ）前記移動通信端末機の使用者から前記受信文字チャットメッセージに対する応答メッセージ作成要求メッセージが受信されると、前記応答メッセージ作成要求メッセージに応じて送信文字チャットメッセージを作成して送信する段階と、
（ｅ）前記移動通信網を介して追加的に受信文字チャットメッセージが受信されるかどうかを判定し、前記文字チャットメッセージが追加的に受信されると前記段階（ｃ）以後の過程を繰り返す段階と、
（ｆ）使用者からの文字チャットサービスの終了信号入力の有無を判定し、前記終了信号が入力されると文字チャットサービスを介して送受信された前記文字チャットメッセージを格納して前記文字チャットサービスを終了し、前記終了信号が入力されないと前記段階（ｅ）の後の過程を繰り返す段階とを含む文字チャットサービス提供方法。
【請求項２０】
前記段階（ｆ）は、
前記送信文字チャットメッセージと前記受信文字チャットメッセージとをログ方式のテキストに統合して格納する請求項１９に記載の文字チャットサービス提供方法。
【請求項２１】
前記段階（ｆ）の後に、
（ｇ）所定の時間内に前記受信文字チャットメッセージが受信されるかどうかを判定して、前記受信文字チャットメッセージが前記所定の時間内に受信されると、前記移動通信端末機を前記文字チャットモードに設定し、前記格納された文字チャットメッセージを表示する段階をさらに含む請求項１９に記載の文字チャットサービス提供方法。
【請求項２２】
前記段階（ｂ）は、
前記文字チャットメッセージの受信に関する情報を前記チャットウィンドウに表示して前記移動通信端末機を前記文字チャットモードへ変更するか否かについての情報を受信し、前記受信文字チャットメッセージが受信されると、前記移動通信端末機を自動的に前記文字チャットモードに変更されるように設定する請求項１９に記載の文字チャットサービス提供方法。
【請求項２３】
前記使用者が前記移動通信端末機を前記文字チャットモードへ変更しないと、一般的な短文メッセージ表示方法によって前記受信文字チャットメッセージを表示する請求項２２に記載の文字チャットサービス提供方法。
【発明の詳細な説明】
【技術分野】
【０００１】
本発明はショートメッセージサービスを利用したチャット機能を支援する移動通信端末機及びチャットサービス方法に関するものである。より詳しくは、ショートメッセージサービスを利用してメッセンジャーのようなチャットサービスを提供するためのユーザーインターフェース（ＵＩ:Ｕｓｅｒ Ｉｎｔｅｒｆａｃｅ）を搭載した移動通信端末機及び当該移動通信端末機を利用したチャットサービス方法に関するものである。
【背景技術】
【０００２】
移動通信端末機は携帯電話として使用され、多様な情報を文字やイメージ形態で送受信するために使用され、無線インターネットを介して多様な情報を受信するために使用されている。また、移動通信端末機は、使用者間、移動通信サービスプロバイダと使用者の間、一般会社と使用者の間に情報を提供するためにショートメッセージサービス（ＳＭＳ:Ｓｈｏｒｔ Ｍｅｓｓａｇｅ Ｓｅｒｖｉｃｅ）を利用する。
【０００３】
ショートメッセージサービスは双方向ショートメッセージサービスであり、移動通信端末機間で通話有無にかかわらずおよそ８０バイト乃至９０バイトの短い文字メッセージの送受信が可能であり、電子メールと異なり送信とほとんど同時に受信者の移動通信端末機に短い文字メッセージが送信される利点を有するため、ショートメッセージサービス使用者は急速に増加している。
【０００４】
ショートメッセージサービスは基本的に移動通信端末機間に回答番号とメッセージを送信し、また文字の形態で銀行口座照会、送金、為替レート情報、旅行情報、交通情報、天気予報、レジャー情報、テレビ番組情報、ニュース、株式情報、広告を含む多様な文字形態の情報を提供する。また、ショートメッセージサービスはクレジットカード会社がカード事故を防止するために契約の承認内容を文字メッセージを介して送受信する電子決済システム、電子商取引において利用される。
【０００５】
図１はショートメッセージサービスを提供する移動通信システムの概略図である。
【０００６】
ショートメッセージサービスを提供する移動通信システムには送信側移動通信端末機１１０、送信側無線基地局１２０、移動通信交換局１３０、ショートメッセージセンター１４０、受信側無線基地局１５０、受信側移動通信端末機１６０が含まれる。
【０００７】
送信側移動通信端末機１１０は、移動通信網を介して別の移動通信端末機と無線通話でき、メッセージ生成機能を用いて送信しようとする短文メッセージを作成し、移動通信網を介して作成したメッセージを送信する。
【０００８】
送信側無線基地局１２０は送信側基地局伝送器（ＢＴＳ:Ｂａｓｅ-ｓｔａｔｉｏｎ Ｔｒａｎｓｍｉｓｓｉｏｎ Ｓｙｓｔｅｍ）１２２、送信側基地局制御器（ＢＳＣ:Ｂａｓｅ‐Ｓｔａｔｉｏｎ‐Ｃｏｎｔｒｏｌｌｅｒ）１２４及び中継器（Ｅｎｈａｎｃｅｒ:図示せず）を含み、送信側移動通信端末機１１０の位置情報、登録者情報及び送信側移動通信端末機１１０で作成された短文メッセージを移動通信交換局１３０に送信する。
【０００９】
受信側無線基地局１５０は伝送器１５２、制御器１５４及び中継器を含み、受信側移動通信端末機１６０の位置情報及び登録者情報を移動通信交換局１３０に送信し、送信側移動通信端末機１１０で作成され、移動通信交換局１３０を介して送信された短文メッセージを受信側移動通信端末機１６０に送信する。
【００１０】
移動通信交換局１３０は無線基地局（１２０、１５０）を効率的に運用する制御機能と公衆電話網の交換機との連動機能とを有し、送信側無線基地局１２０を介して送信された短文メッセージを当該短文メッセージをショートメッセージセンター１４０に格納するためにショートメッセージセンター１４０に送信し、短文メッセージをショートメッセージセンター１４０から受信し、そして短文メッセージを受信側無線基地局１５０に送信する。送信側及び受信側無線基地局（１２０、１５０）により送信側及び受信側移動通信端末機（１１０、１６０）の位置登録が行われると、移動通信交換局１３０は移動通信交換局１３０内の訪問者位置登録器（ＶＬＲ:Ｖｉｓｉｔｏｒ Ｌｏｃａｔｉｏｎ Ｒｅｇｉｓｔｅｒ）に送信側及び受信側移動通信端末機（１１０、１６０）の加入者情報を一時的に格納した後、ホーム位置登録機（ＨＬＲ:Ｈｏｍｅ Ｌｏｃａｔｉｏｎ Ｒｅｇｉｓｔｅｒ）に送信側及び受信側移動通信端末機（１１０、１６０）の位置登録を要求する。
【００１１】
ショートメッセージセンター１４０は移動通信交換局１３０に接続されて移動通信加入者に短文メッセージを送信する。ショートメッセージセンター１４０は多様な文字メッセージ伝達システム（ＰＣ通信システム、サーバシステム、移動通信端末機など）が移動通信網を介して加入者とメッセージ（数字、文字など）の双方向送受信できるようにする。移動通信加入者は送信側移動通信端末機１１０を介して文字メッセージを送ることもできる。もし、送信側移動通信端末機により送信された文字メッセージが直ちに受信側移動通信端末機１６０に送信されない場合には、文字メッセージは送信側移動通信端末機が設定した所定の時間または受信側移動通信端末機が受信可能になるまでショートメッセージセンター１４０に格納される。格納されたメッセージは受信側移動通信端末機が送信側移動通信端末機から送信された当該メッセージを確認した後にショートメッセージセンター１４０から削除される。また、格納されたメッセージは所定の時間が経過した後、あるいはメッセージが送信側移動通信端末機が設定した有効時間以内に送信されないときは削除される。
【００１２】
受信側移動通信端末機１６０は移動通信網を介して送信された通話要求信号を受けて電話通話を行い、受信側無線基地局１５０を介してショートメッセージセンター１４０から短文メッセージを受信し、短文メッセージを表示することによりメッセージの内容を伝達する。
【００１３】
上記構成を有する移動通信システムを利用することにより、送信側移動通信端末機１１０と受信側移動通信端末機１６０の間のショートメッセージサービスを提供することができる。
【００１４】
このようなショートメッセージサービスは、公共の場所（携帯電話の使用が禁止される会議室や会議中など）において使用者の周りの他の人の邪魔にならずに使用できるため、ショートメッセージサービスの活用は増加している。特に、最近は短文メッセージの活用が多くなることに伴って、ショートメッセージサービスが２人の使用者間で繰り返し短文メッセージを送受信するときは、ショートメッセージサービスを有線インターネット上のメッセンジャーとして利用できる。
【００１５】
しかしながら、全ての送受信したメッセージを一度に確認する方法が提供されていないため、使用者は一つずつ送受信されたメッセージを選択して確認したメッセージの返事を送信しなければならない。
【００１６】
そのため、送受信したメッセージを一度に確認するためのサービスの提供のためにモバイルメッセンジャーサービスが提供されている。しかしながら、モバイルメッセンジャーサービスを使用するためにはモバイルメッセンジャーサービスに加入し、ログイン処理を実行しなければならない。またモバイルメッセンジャーサービスの使用は制限されたコミュニティ内でのみ有効である。また、モバイルメッセンジャーサービスはモバイルメッセンジャーのための相対的に費用の高い無線インターネットを介して提供されるため、使用者は相対的に費用の安いショートメッセージサービスを好む。
【００１７】
したがって、別途の加入手続やログイン処理をすることなくメッセンジャーのような実時間メッセージ確認を支援するショートメッセージサービスの提供が要求されている。
【発明の開示】
【発明が解決しようとする課題】
【００１８】
このような問題を解決するために、本発明は送受信された短文メッセージをメッセンジャーのように処理するための文字チャットメッセージを支援するユーザインターフェース（ＵＩ）を搭載し、文字チャットモードを通じて送受信された短文メッセージを格納する移動通信端末機、及び移動通信端末機を利用して別途の加入手続やログイン処理をすることなくメッセンジャーのような実時間メッセージ確認が可能な文字チャットサービス方法を提供する。
【課題を解決するための手段】
【００１９】
本発明の実施の形態に係る典型的な移動通信端末機は、ショートメッセージサービスを利用したチャット機能を提供する文字チャットサービスを支援する。この移動通信端末機は、プログラムメモリ、データ格納部、キー入力部、表示部及びマイクロプロセッサを含む。プログラムメモリは、文字チャットサービスのための文字チャットプログラム及び文字チャットサービス内で実行される付加機能を行うためのプログラムが格納される。データ格納部は、文字チャットサービスから送受信された文字チャットメッセージを格納する。キー入力部は、文字チャットメッセージの作成のためのキーボタンを含む。表示部は、送受信された文字チャットメッセージを１つのチャットウィンドウを通じて表示する。マイクロプロセッサは、文字チャットプログラムを実行して相手方の移動通信端末機と送受信される文字チャットメッセージをチャットウィンドウに表示する制御機能を行う。ここで、文字チャットメッセージはショートメッセージサービスを利用して送受信される。
【００２０】
本発明の他の実施の形態に係る典型的な方法は、ショートメッセージサービスを利用したチャット機能を提供する移動通信端末機からの文字チャットメッセージ送信を通じて文字チャットサービスを提供する。この方法は、（ａ）文字チャットサービスのための文字チャットモードに設定してチャットウィンドウを表示する段階と、（ｂ）文字チャットサービスを利用するチャット相手を選択し、チャット相手に送信する文字チャットメッセージを作成する段階と、（ｃ）ショートメッセージサービスを利用して文字チャットメッセージを送信する段階と、（ｄ）送信文字チャットメッセージに対して受信文字チャットメッセージが受信されるかどうかを判定し、受信文字チャットメッセージが受信されるとチャットウィンドウに表示する段階と、（ｅ）使用者からの文字チャットサービスを終了させる終了信号入力の有無を判定し、終了信号が入力されると文字チャットサービスを終了し、終了信号が入力されないと受信文字チャットメッセージに対する応答メッセージを作成して段階（ｃ）の後の過程を繰り返す段階とを含む。
【００２１】
本発明の他の実施の形態に係る典型的な方法は、ショートメッセージサービスを利用したチャット機能を提供する移動通信端末機からの文字チャットメッセージ受信を通じて文字チャットサービスを提供する。この方法は、（ａ）移動通信網を介して文字チャットサービスのための受信文字チャットメッセージを受信する段階と、（ｂ）移動通信端末機を文字チャットサービスのための文字チャットモードに設定してチャットウィンドウを表示する段階と、（ｃ）チャットウィンドウに受信文字チャットメッセージを表示する段階と、（ｄ）移動通信端末機の使用者から受信文字チャットメッセージに対する応答メッセージ作成要求メッセージが受信されると、応答メッセージ作成要求メッセージに応じて送信文字チャットメッセージを作成して送信する段階と、（ｅ）移動通信網を介して追加的に受信文字チャットメッセージが受信されるかどうかを判定し、文字チャットメッセージが追加的に受信されると段階（ｃ）の後の過程を繰り返す段階と、（ｆ）使用者からの文字チャットサービスの終了信号入力の有無を判定し、終了信号が入力されると文字チャットサービスを終了し、終了信号が入力されないと段階（ｅ）の後の過程を繰り返す段階とを含む。
【発明を実施するための最良の形態】
【００２２】
以下、添付した図面を参照して本発明の実施例について本発明が属する技術分野における通常の知識を有する者が容易に実施できるように詳しく説明する。しかし、本発明は多様で相異なる形態で実現することができ、ここで説明する実施例に限られない。そして、図面で本発明を明確に説明するために説明上不要な部分は省略し、明細書全体にわたって類似の部分については類似の図面符号を付けた。
【００２３】
また、或る部分が何らかの構成要素を‘含む'とすると、これは特に反対になる記載のない限り他の構成要素を除くことではなく、他の構成要素をさらに含むことを意味する。
【００２４】
また、本明細書で記載したモジュール（ｍｏｄｕｌｅ）という用語は特定の機能や動作を処理する１つの単位を意味し、これはハードウェアやソフトウェアまたはハードウェア及びソフトウェアの結合で実現することができる。
【００２５】
図２は本発明の典型的な実施の形態に係るチャット機能を支援する移動通信端末機のブロック図である。
【００２６】
文字チャット機能を支援する移動通信端末機はプログラムメモリ２０２、データ格納部２０４、キー入力部２０６、表示部２０８、音声入出力部２１０、加入者情報格納部２１２、マイクロプロセッサ２１４、ベースバンド変換部２１６、ＲＦ信号処理部２１８、アンテナ２２０を含む。
【００２７】
プログラムメモリ２０２には移動通信端末機と送受信される短文メッセージを処理するプロトコルソフトウェアが格納され、複数のメニューの中から文字作成メニューが選択されると、文字作成ウィンドウを表示部２０８に表示する文字作成プログラムが格納されている。また、プログラムメモリ２０２には文字チャットサービス及び付加機能（チャット相手選択、チャット相手追加及び削除、使用者名変更、文字チャットメッセージデータ格納、格納された文字チャットメッセージデータ表示など）のためのプログラムが貯蔵格納されている。
【００２８】
データ格納部２０４は移動通信端末機の動作プログラムを実行する時にデータのバッファ役割を果たし、キー入力部２０６によって入力された文字や数字を格納または移動通信端末機に受信された文字データやイメージデータを格納する。また、データ格納部２０４はショートメッセージサービスの提供及び音声通話遂行のための電話帳などのデータを格納する。また、文字チャットサービスが終了する場合、文字チャット内容が含まれた文字チャットメッセージデータはデータ格納部２０４に格納される。チャットメッセージデータの構造及び格納方法については図５を通じて詳細に説明する。
【００２９】
キー入力部２０６は電話番号などの数字を入力するための数字キー、文字入力のためのキーボタンと、メニュー選択ボタンとを備える。また、キー入力部２０６は短文メッセージを作成及び送信するための、並びに受信された短文メッセージを確認するための特殊キーを有する。この特殊キーは本発明の典型的な実施の形態における移動通信端末機において、メッセージキー（図８における‘メールマーク’キー）や多様な形態のキーで提供できる。
【００３０】
表示部２０８は移動通信端末機の動作状態を表示し、移動通信端末機で作成及び送信されたチャットメッセージ、使用者のチャット相手の移動通信端末機から受信されたチャットメッセージを１つのチャットウィンドウを通じて表示する。上記動作状態は、電源の状態、電波の受信強度、日付、時間を含む。
【００３１】
音声入出力部２１０はマイクとスピーカで構成され、マイクを通じてアナログ信号をデジタル信号に変換し、スピーカを通じてデジタル信号をアナログ信号に変換することによって、音声通話を行う時に相手の音声出力及び使用者の音声入力を行う。また、音声入出力部２１０は移動通信網を通じて短文メッセージまたはマルチメディアメッセージが受信される場合、メッセージの受信を知らせるための音響信号を出力する。
【００３２】
加入者情報格納部（ＳＩＭ:Ｓｕｂｓｃｒｉｂｅｒ Ｉｄｅｎｔｉｔｙ Ｍｏｄｕｌｅ）２１２には加入者登録情報が格納されている。加入者登録情報は移動通信網で加入者端末機ごとに付与される固有番号を含み、加入者情報格納部２１２はカードが挿入される形態で提供される。加入者情報格納部２１２は当業者によく知られているため、それについての説明は省略する。
【００３３】
マイクロプロセッサ２１４は移動通信網を通じて文字チャットメッセージが受信されると受信内容表示機能を制御し、文字チャットサービスを利用するためにプログラムメモリ２０２から文字チャットプログラムを呼び出し、キー入力部２０６から入力された短文メッセージを受信し、入力された短文メッセージを表示部２０８のチャットウィンドウに表示し、チャットメッセージをベースバンド変換部２１４に送信する。また、移動通信網を通じて文字チャットサービスのための短文メッセージが受信されると、マイクロプロセッサ２１４はこれを表示部２０８のチャットウィンドウに表示する。このために、マイクロプロセッサ２１４は本発明の典型的な実施の形態における文字チャットサービスの提供のためのチャットモジュールを含まなければならない。ここで、チャットモジュールの構造については図３を通じて詳細に説明する。
【００３４】
ベースバンド変換部２１６はＲＦ信号処理部２１８を通じて送受信される信号をベースバンド信号に変換し、デジタル-アナログ変換及びアナログ-デジタル変換処理を行う。また、ベースバンド変換部２１６はチャットサービスのためのチャットメッセージをＲＦ信号処理部２１６に送信し、ＲＦ信号処理部２１８の能力（ＰＯＷＥＲ）やその利得を自動的に制御する。そして、ベースバンド変換部２１６はＲＦ信号処理部２１８から受信された文字チャットメッセージを受信する。
【００３５】
ＲＦ信号処理部２１８は無線基地局からアンテナ２２０に受信されたＲＦ信号を復調及び増幅し、ベースバンド変換部２１６から印加される文字チャットメッセージ信号を変調し、アンテナ２２０は無線基地局との無線信号の送受信を行う。
【００３６】
図３は本発明の典型的な実施の形態における移動通信端末機のマイクロプロセッサに搭載されるチャットモジュールの概略ブロック図である。
【００３７】
本発明の典型的な実施の形態におけるチャットモジュール３００は付加機能実行モジュール３１０、チャット内容格納モジュール３２０、割り込み処理モジュール３３０、チャットウィンドウ設定モジュール３４０を含み、チャットウィンドウ設定モジュール３４０は初期画面設定モジュール３４２、使用者表示画面設定モジュール３４４、メッセージ表示モジュール３４６を含む。
【００３８】
付加機能実行モジュール３１０は文字チャットサービスの利用の際にチャット相手選択、チャット相手追加及び削除、使用者名変更などの付加機能を行う。付加機能実行モジュール３１０はキー入力部２０６を通じて付加機能要求を受けると、プログラムメモリ２０２に格納されている付加機能実行プログラムを呼び出して実行させることによって付加機能を行う。
【００３９】
チャット内容格納モジュール３２０は本発明の典型的な実施の形態における文字チャットサービスが終了する場合、送信されたチャットメッセージ及び受信されたチャットメッセージをログ（Ｌｏｇ）方式のテキスト形態に統合して格納する。ここで、テキスト形態に統合されるデータを‘文字チャットメッセージデータ'と称する。また、使用者によって格納されたチャットメッセージデータの表示が要求されると、チャット内容格納モジュール３２０はデータ格納部２０４に格納された文字チャットメッセージデータを呼び出して表示部２０８に表示する。
【００４０】
割り込み処理モジュール３３０は文字チャットサービスを利用する際に短文メッセージ（ＳＭＳ）、マルチメディアメッセージ（ＭＭＳ）または音声電話着信信号が生じると、移動通信端末機において他のジョブよりも優先順位の高いジョブを選択し、選択されたジョブを処理する。このために移動通信端末機はデータ格納部２０４にジョブの優先順位設定のための割り込み処理テーブルを格納する。割り込み処理テーブルについては図４を通じて詳細に説明する。
【００４１】
チャットウィンドウ設定モジュール３４０は文字チャットサービスのために移動通信端末機の表示部２０８に表示されるチャットウィンドウを生成する。
【００４２】
チャットウィンドウ設定モジュール３４０の初期画面設定モジュール３４２はチャットウィンドウの初期画面を設定し、この初期画面は題目表示領域、メッセージ表示領域、メッセージ入力領域、メニュー領域及びスクロール領域で構成される。題目表示領域はチャットウィンドウの上部に位置して題目を表示する。送信先の電話番号や使用者名（ニックネーム）や所定の題目をチャットの題目として題目表示領域に表示してもよい。メッセージ表示領域は送受信されたメッセージを表示し、メッセージ入力領域は使用者がキー入力部２０６を通じて入力された送信のためのメッセージを表示する。メニュー領域は文字チャットサービスの利用の際に使用者が使用できる付加サービスのためのメニューボタン、入力されたメッセージを送信するための送信ボタン、文字入力形態（ハングル、アルファベット大文字、アルファベット小文字、数字、特殊文字など）の選択のための文字ボタンを含む。そして、スクロール領域はメッセージの長さが画面サイズを超過する場合に、画面をスクロールダウンするためのスクロールボタンを表示する。この場合、チャットウィンドウの上部には移動通信端末機の状態を表示する状態表示領域が位置することができる。
【００４３】
使用者表示画面設定モジュール３４４は移動通信端末機の使用者を表示し、チャットメッセージの送受信を通じてチャットを行い、使用者は電話番号、記号、アイコンやニックネームで表示される。また、使用者の区別のために各使用者の電話番号、記号、アイコン、ニックネームまたはメッセージ内容を多様な色を利用して表示することができる。
【００４４】
メッセージ表示モジュール３４６は送信されたチャットメッセージ及び受信されたチャットメッセージの内容を表示し、その内容を使用者の区別のために多様な色を利用して表示することができる。
【００４５】
図４は本発明の典型的な実施の形態におけるショートメッセージサービスの利用の際に短文メッセージ、マルチメディアメッセージまたは音声電話が受信される場合の割り込み処理を示すテーブルである。
【００４６】
本発明におけるチャットメッセージサービスを通じてチャットメッセージを処理する際に、短文メッセージ（ＳＭＳ）、マルチメディアメッセージ（ＭＭＳ）または音声電話着信信号が受信されると、割り込み処理モジュール３３０は移動通信端末機のジョブの優先順位を設定しなければならない。ジョブの優先順位は割り込み処理テーブルにより設定され、割り込み処理テーブルはデータ格納部２０４に格納される。
【００４７】
移動通信端末機は文字チャットサービスの利用の際に、文字チャットメッセージの送信または受信状態、または待機状態（ＩＤＬＥ）である場合に短文メッセージ、マルチメディアメッセージまたは音声電話着信信号が受信されると、それぞれ異なる処理を実行する。
【００４８】
本発明の典型的な実施の形態におけるチャットサービスの利用の際に短文メッセージが受信されると、移動通信端末機の現在の状態にかかわらず、従来の受信処理と同様に短文メッセージを受信し、短文メッセージの到着を知らせるアイコンを表示する。ここで、移動通信端末機の現在の状態はチャットメッセージ送信状態、チャットメッセージ受信状態及び待機状態を含む。
【００４９】
ここで、チャットサービスの利用の際にマルチメディアメッセージが受信される場合、移動通信端末機の動作は移動通信端末機がマルチメディアメッセージの受信をサポートしているか否かによって異なる。
【００５０】
移動通信端末機がマルチメディアメッセージの受信をサポートしていない場合には、移動通信網のサーバにマルチメディアメッセージは格納され、マルチメディアメッセージの到着を知らせる信号が移動通信端末機に送信される。
【００５１】
移動通信端末機がデータを呼び出すように設定されたＰｕｌｌ形態のマルチメディアメッセージが到着したことを知らせるマルチメディアメッセージサービス着信メッセージが送信される場合、移動通信端末機の状態にかかわらずマルチメディアメッセージの到着を知らせるアイコンが表示される。ここで、移動通信端末機の現在の状態はチャットメッセージ送信状態、チャットメッセージ受信状態及び待機状態を含む。
【００５２】
メッセージを移動通信端末機に送信するように設定されたＰｕｓｈ形態のマルチメディアメッセージが到着したことを知らせるＭＭＳ着信メッセージが送信される場合、移動通信端末機の状態にかかわらずマルチメディアメッセージを引き出すための処理が実行される。
【００５３】
移動通信端末機がマルチメディアメッセージの受信をサポートしている場合には、移動通信システムの動作は移動通信端末機が同期式であるか非同期式であるかによって異なる。移動通信システムが非同期式（ＷＣＤＭＡ）である場合には移動通信端末機がＷＣＤＭＡ端末機であるので、文字チャットメッセージの送受信の際にＷＣＤＭＡ端末機はマルチメディアメッセージを受信する。しかし、移動通信端末機が待ち状態である場合には、移動通信端末機はマルチメディアメッセージの受信後にマルチメディアメッセージの到着を知らせるアイコンを表示する。
【００５４】
移動通信端末機が同期式（ＣＤＭＡ１Ｘ、２Ｇ、ＥＶ-ＤＯ）である場合、文字チャットメッセージの送信中にマルチメディアメッセージが到着すると、使用者が文字チャットメッセージ送信のための送信キーを入力するのと同時にマルチメディアメッセージのためのポップアップ（Ｐｏｐ-Ｕｐ）処理を実行する。そして、文字チャットメッセージの受信中にマルチメディアメッセージが到着すると文字チャットメッセージとマルチメディアメッセージとを同時に受信し、移動通信端末機が待機状態である場合にはマルチメディアメッセージの受信後にマルチメディアメッセージの到着を知らせるアイコンを表示する。
【００５５】
ショートメッセージサービスの利用の際に音声電話を受信した場合、移動通信端末機はショートメッセージサービスを中断して音声電話着信を処理する。そして、音声電話が終了すると移動通信端末機は文字チャットサービスに戻る。
【００５６】
図５は本発明の典型的な実施の形態におけるデータ格納部に格納される文字チャットメッセージデータの構造を示す。
【００５７】
文字チャットサービスが終了すると、チャットウィンドウに表示された送信文字チャットメッセージと受信文字チャットメッセージとが１つのチャットメッセージデータセットとして格納される。従来、短文メッセージは送信メッセージと受信メッセージとがそれぞれ別個に格納されて格納領域を多く占めている。しかし、本発明の典型的な実施の形態によれば、文字チャットメッセージデータは一般のコンピュータでのメッセージログと類似の形態で格納され、送受信されたメッセージは１つの文字チャットメッセージデータセットとして格納される。
【００５８】
文字チャットメッセージデータはログ方式を用いたテキスト形態で格納される。文字チャットメッセージデータの大きさは送受信された文字チャットメッセージの量に応じて異なる。この場合、使用者は対応するデータの識別のために格納される文字チャットメッセージデータに題目を追加することが可能である。
【００５９】
それぞれの移動通信端末機は製造会社に応じて格納することができる文字チャットメッセージデータの量が異なる。本実施の形態では、チャットメッセージデータの大きさを１Ｋｂｙｔｅまでに制限し、移動通信端末機は１００個のチャットメッセージを格納する。
【００６０】
１つの文字チャットメッセージの大きさが１Ｋｂｙｔｅまでに制限されているため、格納される送受信されたメッセージの内容の量が１Ｋｂｙｔｅを超える場合には、データの超過分は次のデータ領域に格納され、データの連結を確認するための連結情報が追加的に格納される。そして、文字チャットメッセージデータを呼び出す時、連結情報を通じて次のデータ領域に格納されている内容が呼び出される。
【００６１】
例えば、Ｒｅｃｏｒｄ#３のデータ領域に格納された文字チャットメッセージデータの大きさが１Ｋｂｙｔｅを超えて内容の超過分がＲｅｃｏｒｄ#４のデータ領域に格納されているとする。使用者がＲｅｃｏｒｄ#３のデータ領域に格納された文字チャットメッセージデータを呼び出す場合、移動通信端末機の表示部２０８にはＲｅｃｏｒｄ#３に格納された文字チャットメッセージ内容とＲｅｃｏｒｄ#４に格納された文字チャットメッセージ内容とが連結されて表示される。
【００６２】
文字チャットメッセージデータセットのそれぞれはチャット開始日付、チャット相手情報、チャット内容及びチャット終了日付を格納する。この場合、チャット終了日付は省略することが可能であり、格納情報は移動通信端末機の製造会社に応じて多様に設定することができる。
【００６３】
図５でＲｅｃｏｒｄ#９９とＲｅｃｏｒｄ#１００は空のデータ領域を示し、空のデータ領域は表示しなくてもよく、１Ｋｂｙｔｅの空のデータ領域として表示してもよい。
【００６４】
図６は本発明の典型的な実施の形態における文字チャットメッセージ送信に応じて実行される文字チャットサービス方法のフローチャートである。
【００６５】
文字チャットメッセージサービスを利用するために、使用者は移動通信端末機に搭載されたメニューを選択して文字チャットメニューを選択する。文字チャットメニューが選択されると、移動通信端末機は文字チャットモードに移行してチャットウィンドウを表示する（ステップＳ６００）。
【００６６】
チャットウィンドウが表示されると、使用者はメニュー領域に表示されたメニューボタンを通じて文字チャット相手を選択する。文字チャット相手は、電話帳検索、最近の通話記録検索、電話番号の直接入力によって選択することができる。この時、チャット相手を２人以上選択することも可能である（ステップＳ６１０）。
【００６７】
文字チャット相手が選択されると、キー入力部を通じて送信しようとする文字チャットメッセージを入力する。入力された文字チャットメッセージはチャットウィンドウのチャットメッセージ入力領域に表示される。この時、入力される文字チャットメッセージの大きさは移動通信端末機の製造会社または移動通信サービスプロバイダによって制限されることがある（ステップＳ６２０）。
【００６８】
文字チャットメッセージの入力が完了すると、使用者はメニュー領域の送信ボタンまたは別途に提供されるキー入力部の送信キーを利用して文字チャットメッセージをステップＳ６１０で選択された相手に送信する。この時、文字チャットメッセージは短文メッセージの形態で送信される。そして、送信された文字チャットメッセージはチャットウィンドウのチャットメッセージ表示領域に表示される（ステップＳ６３０）。
【００６９】
チャットメッセージを送信した後、相手からチャットメッセージを受信すると（ステップＳ６４０）、受信したチャットメッセージはチャットウィンドウのチャットメッセージ表示領域に表示される（ステップＳ６５０）。
【００７０】
相手から受信したチャットメッセージに対する応答として使用者が文字チャットメッセージを作成し、送信ボタンまたは送信キーを入力すると、短文メッセージ形態のチャットメッセージを送信するために上記ステップＳ６３０からの処理を繰り返して文字チャットサービスの提供を受ける（ステップＳ６６０）。
【００７１】
しかし、受信したチャットメッセージに対する応答なしに文字チャットメッセージを終了する場合（ステップＳ６７０）、移動通信端末機は送受信されたチャットメッセージに対してログ方式のテキスト形態で文字チャットメッセージデータを生成してデータ格納部２０４に格納する。
【００７２】
同一の相手とのメッセージデータがデータ格納部２０４に格納されている場合には、現在の文字チャットメッセージデータを以前に格納された文字チャットメッセージデータに連結させて格納することもできる。この時、現在の文字チャットメッセージデータを以前のデータと連結して格納するか別に格納するかを確認させるメッセージウィンドウを表示して使用者が選択するように設定することも可能である（ステップＳ６８０）。
【００７３】
移動通信端末機は文字チャットモードを終了した後、所定の時間に亘りチャット相手から文字チャットメッセージ受信したかどうかを確認する（ステップＳ６９０）。
【００７４】
所定の時間内に文字チャットメッセージを受信した場合、移動通信端末機は文字チャットモードに移行し、格納された文字チャットメッセージデータを呼び出して受信された文字チャットメッセージと共に表示し、上記ステップＳ６５０からの処理を行う（ステップＳ６９２）。
【００７５】
ここで、文字チャット相手を選択した後、文字チャットメッセージを入力するステップＳ６１０及びステップＳ６２０は移動通信端末機の製造会社または移動通信サービスプロバイダの設定によって文字チャットメッセージを入力した後、文字チャット相手を選択するようにしてもよい。
【００７６】
図７は本発明の典型的な実施の形態における文字チャットメッセージの受信に応じて実行される文字チャットサービス方法のフローチャートである。
【００７７】
通話待機モードに設定されている移動通信端末機が文字チャットメッセージを受信すると（ステップＳ７００）、文字チャットメッセージの受信を知らせるメッセージと共に移動通信端末機を文字チャットモードに変更するかどうかを確認させるメッセージウィンドウとを表示する。この時、移動通信端末機の製造会社または移動通信サービスプロバイダの設定により文字チャットメッセージが受信されると自動的に文字チャットモードに変更するようにしてもよい（ステップＳ７１０）。
【００７８】
受信側移動通信端末機の使用者が移動通信端末機を文字チャットモードへ変更しないときは、移動通信端末機は一般的な短文メッセージを受信した場合と同様に処理する。つまり、文字チャットメッセージが画面ウィンドウに表示され、受信側移動通信端末機の使用者が短文メッセージを作成し、一般的な短文メッセージ送信処理によって短文メッセージは送信される（ステップＳ７１２）。
【００７９】
しかし、受信側移動通信端末機の使用者が移動通信端末機を文字チャットモードへ変更するときは、移動通信端末機は文字チャットモードに移行し、チャットウィンドウに受信された文字チャットメッセージを表示する（ステップＳ２７０）。
【００８０】
受信側移動通信端末機の使用者が受信された文字チャットメッセージに対する応答として文字チャットメッセージを作成する場合（ステップＳ７２０）、チャットウィンドウを通じて文字チャットメッセージが入力され、ショートメッセージサービスを通じて入力された文字チャットメッセージは送信される（ステップＳ７４０）。
【００８１】
その後、送信側移動通信端末機の使用者から追加的な文字チャットメッセージの受信があると上記ステップＳ７２０からの処理を実行する。
【００８２】
ステップＳ７３０の後、受信側移動通信端末機の使用者が文字チャットモードを終了する場合には（ステップＳ７６０）、送受信された文字メッセージに対してログ方式のテキストで文字チャットメッセージデータを生成してデータ格納部２０４に格納する。
【００８３】
この時、同一のチャット相手との文字チャットメッセージデータが格納されている場合には、現在の文字チャットメッセージデータを以前に格納された文字チャットメッセージデータと連結させて格納することもできる。この時、現在の文字チャットメッセージデータを以前のデータと連結して格納するか別に格納するかを確認させるメッセージウィンドウを表示して使用者が選択するように設定することも可能である（ステップＳ７７０）。
【００８４】
受信側移動通信端末機は文字チャットモードを終了した後、所定の時間内に追加的な文字チャットメッセージが受信されるかどうかを確認し（ステップＳ７８０）、所定の時間内に追加的な文字チャットメッセージが受信される場合には移動通信端末機を文字チャットモードに設定し、格納された文字チャットメッセージデータを呼び出して受信した文字チャットメッセージと共に表示して、上記ステップＳ７２０からの処理を行う（ステップＳ７８２）。
【００８５】
このような上記処理を通じて移動通信端末機はショートメッセージサービスを利用した文字チャットサービスを利用することができる。
【００８６】
図８は本発明の典型的な実施の形態における文字チャットサービスを提供する移動通信端末機の例を示す。
【００８７】
本発明の典型的な実施の形態における文字チャットサービスを利用する使用者は移動通信端末機に搭載されたメニューを通じて付加サービス選択画面８Ａを表示する。使用者はキー入力部を使用して付加サービス選択画面８Ａから文字チャットメニューを選択し、文字チャットサービスを開始させるために画面８Ｂから‘１．Send new message’メニューを選択する。文字チャット開始メニューが選択されると移動通信端末機にはチャット相手を選択するための画面が表示される。チャット相手は電話帳検索、最近の通話記録検索、電話番号の直接入力により選択することができる。移動通信端末機に表示されたチャット相手選択画面８Ｃからチャット相手が選択されると、送信する文字メッセージを入力するためのチャットウィンドウ８Ｄが表示される。ここで、チャットウィンドウ８Ｄが表示された後、チャット相手リスト画面８Ｃを表示ることもできる。
【００８８】
画面８Ｅはチャットウィンドウを通じて入力された送信する文字チャットメッセージ、及び選択したチャット相手から受信した応答メッセージを表示する。使用者がチャットウィンドウのチャットメッセージ入力領域を通じて文字メッセージを入力して送信ボタンを入力すると、送信経過を示すメッセージウィンドウ８Ｆが表示される。送信が完了するとチャットメッセージ表示領域８Ｇに送信されたメッセージが表示される。
【００８９】
使用者が文字チャットサービスを終了すると、送受信された文字チャットメッセージを格納するかどうかを確認させる画面８Ｈが表示され、使用者がメッセージを格納したいときはテキスト形態のチャットメッセージデータが生成されてデータ格納部２０４に格納される。
【００９０】
このような文字チャットサービスは１対１チャットだけでなく、２人以上の複数使用者間のチャットもサポートする。
【００９１】
図９は文字チャットサービスを利用した一対一チャット中に他の使用者を追加するための方法を説明するための移動通信端末機の例を示す。
【００９２】
画面９Ａに示すように文字チャットサービスを利用する際に第三者が追加されるときは、送信側移動通信端末機の使用者または受信側移動通信端末機の使用者はメニュー領域のメニューボタンを選択する。メニューボタンが選択された後、画面に表示される多様なメニューの中からチャット相手追加のためのメニューが選択されると、チャット相手追加方法を選択するための画面９Ｂが表示される。本実施の形態では、移動通信端末機は電話帳検索、最近の通話記録検索、チャット相手の電話番号の直接入力によるチャット相手の追加を支援する。
【００９３】
使用者が電話帳検索によりチャット相手を選択すると、電話リストが表示される。電話帳検索のための入力ウィンドウが表示されてもよい。使用者が電話リストを通じた検索または電話帳検索により追加するチャット相手を選択すると画面９Ｃ-１が表示される。
【００９４】
使用者が画面９Ｂから最近の通話記録検索によるチャット相手を追加すると、画面９Ｃ-２のように最近の通話記録が表示され、使用者は方向キーや数字キーを利用してチャット相手の電話番号を選択する。
【００９５】
また、使用者が画面９Ｂにおいてチャット相手の電話番号の直接入力によりチャット相手を追加すると、画面９Ｃ-３のように電話番号の入力のためのウィンドウが表示され、使用者は数字キーを利用して電話番号入力ウインドウにチャット相手の電話番号を入力する。
【００９６】
画面９Ｃ-１、９Ｃ-２及び９Ｃ-３を通じて使用者が追加するチャット相手を選択すると、チャット相手の追加が正常に行われたことを知らせる画面９Ｄが表示される。
【００９７】
チャット相手を追加する追加処理が完了すると、複数使用者間の文字チャットサービスが提供される。
【００９８】
図１１は本発明の典型的な実施の形態における複数の使用者に文字チャットメッセージを送信するための移動通信端末機の例を示す。
【００９９】
複数使用者のうちの文字チャットサービスの提供を受けた使用者がチャットメッセージ入力領域（画面９Ｅ）に送信するメッセージを入力した後、送信ボタンを入力すると、メッセージの送信中であることを知らせる画面９Ｆが表示される。画面９Ｆにおいて、‘１/２'は２人の文字チャット相手のうちの最初の文字チャット相手にメッセージを送信することを示す。
【０１００】
２人の文字チャット相手へのメッセージの送信が完了すると、画面９Ｇが表示される。
【０１０１】
２人の文字チャット相手へのメッセージの送信が失敗した場合には、送信失敗を知らせるメッセージウィンドウ９Ｈ-１が表示される。そして、メッセージウィンドウ９Ｈ-１を通じてメッセージを再送信するかどうかが決定される。この送信が失敗すると、画面９Ｈ-２のように送信失敗メッセージがチャットウィンドウに表示される。
【０１０２】
この時、２人のうち１人のチャット相手にのみメッセージの送信が失敗した場合には、送信失敗メッセージと共に失敗したチャット相手のＩＤや電話番号を同時に表示するのが好ましい。
【０１０３】
上記処理を通じて複数使用者間に文字チャットサービスを提供することができる。
【０１０４】
文字チャットサービスが終了すると、送受信されたメッセージはテキスト形態のチャットメッセージデータに変換されてデータ格納部２０４に格納される。そして、移動通信端末機の使用者は格納された文字チャットメッセージデータを呼び出して送受信されたメッセージを確認することもできる。
【０１０５】
図１１は本発明の典型的な実施の形態における移動通信端末機に格納された文字チャットメッセージデータを呼び出す方法を説明するための移動通信端末機の例を示す。
【０１０６】
データ格納部２０４から文字チャットメッセージデータを呼び出すために使用者は移動通信端末機に搭載されたメニューを通じて付加サービス選択画面１０Ａを表示させる。
【０１０７】
使用者はキー入力部を通じて付加サービス選択画面１０Ａから文字チャットメニューを選択し、画面１０Ｂから文字チャットメッセージデータの管理のためのメニュー（‘２．Text chatting storage’）を選択する。
【０１０８】
チャットメッセージデータの管理のためのメニューが選択されると、格納された文字チャットメッセージの題目または内容の一部が画面ウィンドウに表示される。使用者は表示された文字チャットメッセージリストの中から表示を所望するメッセージを選択する。
【０１０９】
この時、使用者は検索メニューを通じて表示された複数の文字チャットメッセージリストの中から所望する分類の文字メッセージリストのみを抽出することができる。使用者がメニューボタン（画面１０Ｂにおける実行キー１、実行キー２、実行キー３）を選択すると、それに対応するリストが表示される。画面１０Ｃは格納された文字チャットメッセージを使用者毎に選択するための使用者特有の分類リストを画面である。画面１０Ｃを通じて'Pretty girl'という使用者を選択すると、画面１０Ｄに示すように選択された使用者との文字チャットメッセージが表示される。
【０１１０】
使用者は方向キーまたは数字キーを利用して表示を所望する文字チャットメッセージを選択し、画面１０Ｅのように選択された文字チャットメッセージの内容が表示される。
【０１１１】
上記処理を通じて使用者は移動通信端末機に格納された文字チャットメッセージを呼び出して確認することができる。
【０１１２】
ここで、図８乃至図１１は移動通信端末機の画面の例を示し、この画面は移動通信端末機の製造会社や移動通信サービスプロバイダにより多様に変更することができる。
【０１１３】
上述した本発明の典型的な各実施の形態は、装置及び方法によってのみ実現されるわけではなく、本発明の典型的な各実施の形態の構成に対応する機能を実現するプログラムまたはそのプログラムが記録された記録媒体を通じて実現されることもでき、このような実現は上述した実施例の記載から本発明が属する技術分野における専門家であれば簡単に実現できる。
【０１１４】
上述したように本発明によれば、移動通信端末機のユーザーインターフェース（ＵＩ）のみを変更すると共に従来の短文メッセージを利用して別途の加入手続やログイン処理を行うことなく実時間メッセージ確認を支援する文字チャットサービスを実現することができる。その結果、使用者は送信された短文メッセージと受信された短文メッセージとを１つの画面ウィンドウを通じて確認することができ、データ料金に比べて相対的に安価のショートメッセージサービスを利用するため費用を節約することができる。
【０１１５】
以上、本発明の実施例について詳細に説明したが、本発明の権利範囲はこれに限定されず、請求範囲で定義する本発明の基本概念を利用した当業者の多様な変形及び改良形態もまた本発明の権利範囲に属する。
【図面の簡単な説明】
【０１１６】
【図１】ショートメッセージサービスを提供する移動通信システムの概略図である。
【図２】本発明の典型的な実施の形態に係るチャット機能を支援する移動通信端末機のブロック図である。
【図３】本発明の典型的な実施の形態における移動通信端末機のマイクロプロセッサに搭載されるチャットモジュールの概略ブロック図である。
【図４】本発明の典型的な実施の形態におけるショートメッセージサービスの利用の際に短文メッセージ、マルチメディアメッセージまたは音声電話が受信される場合の割り込み処理を示すテーブルである。
【図５】本発明の典型的な実施の形態におけるデータ格納部に格納される文字チャットメッセージデータの構造を示す。
【図６】本発明の典型的な実施の形態における文字チャットメッセージ送信に応じて実行される文字チャットサービス方法のフローチャートである。
【図７】本発明の典型的な実施の形態における文字チャットメッセージの受信に応じて実行される文字チャットサービス方法のフローチャートである。
【図８】本発明の典型的な実施の形態における文字チャットサービスを提供する移動通信端末機の例を示す。
【図９】文字チャットサービスを利用した一対一チャット中に他の使用者を追加するための方法を説明するための移動通信端末機の例を示す。
【図１０】本発明の典型的な実施の形態における複数の使用者に文字チャットメッセージを送信するための移動通信端末機の例を示す。
【図１１】本発明の典型的な実施の形態における移動通信端末機に格納された文字チャットメッセージデータを呼び出す方法を説明するための移動通信端末機の例を示す。
【符号の説明】
【０１１７】
１１０  送信側移動通信端末機
１２０  送信側無線基地局
１２２  送信側基地局伝送器（ＢＴＳ）
１２４  送信側基地局制御器（ＢＳＣ）
１３０  移動通信交換局
１４０  ショートメッセージセンター
１５０  受信側無線基地局
１５２  受信側基地局伝送器
１５４  受信側基地局制御器
１６０  受信側移動通信端末機
２０２  プログラムメモリ
２０４  データ格納部
２０６  キー入力部
２０８  表示部
２１０  音声入出力部
２１２  加入者情報格納部
２１４  マイクロプロセッサ
２１６  ベースバンド変換部
２１８  ＲＦ信号処理部
２２０  アンテナ
３００  チャットモジュール
３１０  付加機能実行モジュール
３２０  チャット内容格納モジュール
３３０  割り込み処理モジュール
３４０  チャットウィンドウ設定モジュール
３４２  初期画面設定モジュール
３４４  使用者表示画面設定モジュール
３４６  メッセージ表示モジュール
【図１】
2009526430.tif 000003
【図２】
2009526430.tif 000004
【図３】
2009526430.tif 000005
【図４】
2009526430.tif 000006
【図５】
2009526430.tif 000007
【図６】
2009526430.tif 000008
【図７】
2009526430.tif 000009
【図８】
2009526430.tif 000010
【図９】
2009526430.tif 000011
【図１０】
2009526430.tif 000012
【図１１】
2009526430.tif 000013
【国際調査報告】
2009526430.tif 000014
2009526430.tif 000015
2009526430.tif 000016